(57)【特許請求の範囲】
【請求項１】
チャックを備えた細棒送出機構と、前記細棒送出機構のチャックによって締付されると共にチャックの前進動作によって送出される細棒と、この細棒の先端に取り付けられた棒状物と、を備え、前記細棒送出機構のチャックの前進動作によって棒状物を所定量ずつ繰り出す棒状物繰り出し装置において、
前記細棒はプラスチック製の一様な径のバーであり、その先端のみに他の部分よりも径方向に拡径された非球面形状の拡径部が形成され、該拡径部には径方向に突出する凸面が形成されており、細棒は、該拡径部を含む先端部が棒状物内に埋め込まれて、拡径していない他の部分が棒状物の後端面を貫通することを特徴とする棒状物繰り出し装置。
【発明の詳細な説明】
【０００１】
【発明の属する技術分野】
本発明は、アイライナー芯、アイブロー芯、リップステック、リップグロス、コンシーラ、消ゴム、修正棒、筆記芯、蛍光芯、棒状糊等の棒状物を繰り出す棒状物繰り出し装置に関し、特にチャックの前進動作により棒状物を繰り出すことができる棒状物繰り出し装置に関する。
【０００２】
【従来の技術】
従来、この種の棒状物繰り出し装置としては、特開平１０−２２６１９３号公報に記載されたものが知られている。この棒状物繰り出し装置では、チャックを備えた細棒送出機構と、前記細棒送出機構のチャックによって締付されると共にチャックの前進動作によって送出される細棒と、この細棒の先端に取り付けられた棒状物と、を備え、前記細棒送出機構のチャックの前進動作によって棒状物を所定量ずつ繰り出すようになっている。そして、細棒をプラスチック製とすることにより、細棒を締め付けるチャックを傷めることがなく、また、細棒の外径寸法にばらつきがあってもその細棒自体の弾性によって柔軟に対応することができ、チャックによって常に細棒を確実に締め付けることができるという効果を有している。
【０００３】
【発明が解決しようとする課題】
ところで、上記公知の棒状物繰り出し装置において、棒状物は、細棒の先端が棒状物の中に刺し込まれた状態で細棒に取り付けられており、細棒が送出されると、細棒と一体的に棒状物が移動するようになっている。使用される棒状物に十分な弾性力がある場合には、細棒に対して棒状物からの弾性力が作用し、棒状物と細棒との連結力が十分大きく、両者は一体的に移動することができる。これに対して、棒状物の弾性力が小さい場合は、棒状物と細棒との連結力が不十分になるため、棒状物に外部から作用する摩擦力によって棒状物の移動に際して大きな抵抗力が作用すると、細棒だけが移動し、細棒が棒状物の内部を移動することが発生してしまう。つまり、細棒を前進させた場合、棒状物の中を細棒が突き進み、細棒だけが前進してしまう状態となってしまうという問題がある。
【０００４】
本発明はかかる課題に鑑みなされたもので、細棒に取り付けられた棒状物が、確実に細棒と一体的に移動することができる棒状物繰り出し装置を提供することをその目的とする。
【０００５】
【課題を解決するための手段】
上記目的を達成するために、本発明は、チャックを備えた細棒送出機構と、前記細棒送出機構のチャックによって締付されると共にチャックの前進動作によって送出される細棒と、この細棒の先端に取り付けられた棒状物と、を備え、前記細棒送出機構のチャックの前進動作によって棒状物を所定量ずつ繰り出す棒状物繰り出し装置において、
前記細棒はプラスチック製の一様な径のバーであり、その先端のみに他の部分よりも径方向に拡径された非球面形状の拡径部が形成され、該拡径部には径方向に突出する凸面が形成されており、細棒は、該拡径部を含む先端部が棒状物内に埋め込まれて、拡径していない他の部分が棒状物の後端面を貫通することを特徴とする。
【０００６】
細棒に径方向に突出する凸面を設けることにより、細棒からの力を径方向に分散させて棒状物へと伝達することができ、応力の集中を避けることができる。よって、従来のように細棒によって応力が集中した棒状物の部分が細棒によって局所的に破壊されることを防止することができ、細棒が棒状物内を突き進みながら前進することが防止され、細棒と棒状物とが確実に一体的に移動することができる。
【０００８】
【発明の実施の形態】
以下、図面を用いて本発明の実施の形態を説明する。
【０００９】
図１は、本発明の第１の棒状物繰り出し装置を使用した複合筆記具を示す縦断面図であり、この例では、本発明の棒状物繰り出し装置３０の細棒送出機構４４を用いた複数（２つ）の保持軸１４、１６を備えており、前部外筒１１に対する後部外筒１２の正逆回転方向に応じて２つの保持軸１４、１６を選択的に外筒内で前進させることができる複合筆記具を示している。この前進機構１０については、特開平１０−２２６１９３号と同様の機構を採用することができ、また、それ以外にも、実用新案登録番号第２５０５４３７号公報、実公平６−３２３９７号公報、特公平６−３０９９３号公報等に詳細に記載されているが、それ以外の公知の前進機構を使用することができ、２つよりも多い保持軸を備えることも可能である。また、本発明の棒状物繰り出し装置を複合筆記具に使用せず、単数の保持軸とする場合には、かかる前進機構は不要である。
【００１０】
よって、本例の前進機構１０について簡単に説明すると、前部外筒１１は、鞘２０を介して後部外筒１２に対して、正逆回動可能、前進ノック可能、かつ離脱可能に連結されている。即ち、前部外筒１１の後端部１１ａと鞘２０の前端部２０ａとはその連結部で螺着されており、他方、鞘２０の後端部２０ｂが後部外筒１２の内方段部１２ｂの後面に係止されている。
【００１１】
鞘２０の中央に形成された鞘軸部２０ｃには、スライダー２２、２４が摺動可能にはめ込まれている。鞘２０の鞘軸部２０ｃの前方に形成された鍔部２０ｄと各スライダー２２、２４との間に介挿された弾性体２６、２８によって、各スライダー２２、２４はそれぞれ後退方向へ付勢されており、鞘２０に形成されたストッパー段部２０ｅに当接することでそれ以上の後退が阻止されている。
【００１２】
各スライダー２２、２４の外周面には、カム面２２ａ、２４ａがそれぞれ形成されており、後部外筒１２の内面に形成されたカム係合突起１２ａに、前記弾性体２６、２８によって圧接係合可能となっている。また、カム面２２ａ、２４ａの後端部には、カム係合突起１２ａの先端に係止することができる後端係止部２２ｂ、２４ｂが形成されている。
【００１３】
さらに、それぞれのスライダー２２、２４には、保持軸１４、１６のそれぞれの後端部が着脱可能に結合されている。図１に示すように、スライダー２２、２４が両方とも後退している状態から、後部外筒１２を前部外筒１１に対して正逆に回動すると、その回動方向に応じて、後部外筒１２のカム係合突起１２ａが、スライダー２２、２４のいずれか一方のカム面２２ａ、２４ａを押し出すことになり、スライダー２２、２４のいずれか一方が弾性体２６、２８の付勢力に抗して前進する。そして、カム面２２ａ、２４ａの後端係止部２２ｂ、２４ｂのいずれか一方がカム係合突起１２ａと係合すると、前進したスライダー２２または２４は、その前進位置で保持される。こうして、スライダー２２または２４に結合された保持軸１４または１６のいずれかが前進して、前部外筒１１の先端から突出することになる。この状態で、後部外筒１２をノックして前部外筒１１に対して前進させると、以下で説明する細棒送出機構４４の動作により、棒状物が繰り出される。さらに、この保持された状態から、後部外筒１２を先と反対の方向に回動すると、後端係止部２２ｂ、２４ｂのいずれか一方とカム係合突起１２ａとの係合が外れ、スライダー２２または２４が弾性体２６または２８の付勢力により後退し、図１の状態に復帰する。
【００１４】
保持軸１４及び保持軸１６が保持し、同様の細棒送出機構４４によって、繰り出される棒状物４８としては、消ゴム、修正棒、筆記芯、蛍光芯、アイライナー芯、アイブロー芯、リップステック、リップグロス、コンシーラ、棒状糊等とすることができ、特に、弾性が低いか、脆性が高いか及び／または硬度が高いものが本発明には適している。複数の保持軸１４、１６が保持する棒状物の組合せとしては、異なる外径、異なる色、または異なる種類等の任意の組合せとすることができる。例えば、棒状物として化粧品の場合、異なる外径または異なる色のアイライナ、リップステック、リップグロスまたはコンシーラの組合せ、または、異なる種類のアイライナー芯とリップステック、アイライナー芯とアイブロー芯といった組合せ等とすることができる。また、保持軸のいずれかは、例えば、インキ、化粧液といった棒状物以外のものを保持するものであってもよく、細棒送出機構を備えないものであってもよい。または、保持軸のいずれかは、例えばシャープペンシル芯のように、細棒を使用せずに、直接、チャックによってそのものを送出するものであってもよい。
【００１５】
保持軸１４または１６に用いられた本発明に係る棒状物繰り出し装置３０について図２を参照して説明する。棒状物繰り出し装置３０は、スライダー２４内に嵌入される細棒ケース３２と、この細棒ケース３２の前端部に連結される細棒送出機構４４、細棒４６及び棒状物であるアイライナー芯４８を備えている。
【００１６】
細棒送出機構４４は、細棒ケース３２の前端部に連結されるガイド３３と、細棒４６を締付けるためのガイド３３に固定されるチャック３４と、チャック３４の外側に嵌装されるチャックリング３６と、チャックリング３６の後端に当接するスリーブ３８と、スリーブ３８内でスリーブ３８の前端部とガイド３３との間に介挿されチャック３４を後方へ付勢するバネ（弾性体）４０と、スリーブ３８に連結されると共に前記チャック３４及びチャックリング３６を内部に収納する先具４２と、先具４２内において細棒４６を保持するパッキン４３と、を備えている。
【００１７】
細棒送出機構４４のチャック３４の前進動作によって送出される細棒４６の先端は、棒状物であるアイライナー芯４８内へと埋め込まれている。そして、細棒送出機構４４の先具４２の先端には、アイライナー芯４８を保護、案内する案内筒部５０が取り付けられている。細棒４６は、プラスチック製のバーであり、可撓性を有すと共に、その軸線方向と垂直な方向（即ち、径方向）に弾性を有しており、さらに、図３に示すように、そのアイライナ芯４８に埋め込まれた細棒４６の先端は、他の部分よりも径方向に拡大された拡径部４６ａとなっている。つまり、拡径部４６ａの表面は、径方向に突出した凸面となっている。このような細棒４６と棒状物であるアイライナー芯４８は、インサート成型により、一体的に成型することができる。
【００１８】
また、アイライナー芯４８の後部から出ている細棒４６の部分は、細棒送出機構４４の前後を挿通している。
【００１９】
以上の棒状物繰り出し装置３０において、図２に示すように、保持軸１６が前進機構１０により前進した状態で、後部外筒１２が前部外筒１１に対して前進ノックされると、このノック動作は、細棒ケース３２を介して細棒送出機構４４のガイド３３及びチャック３４に伝わる。一方、案内筒部５０の前端は前部外筒１１の先端内周面に当接しているので、案内筒部５０及び先具４２は前進ノック動作が阻止されて、これにより、チャック３４及びチャックリング３６が先具４２内で相対的に前進し、チャック３４がさらにチャックリング３６よりも前進して細棒４６を解放し、ノック動作が解除されるとチャック３４が元の位置に戻る。こうしたチャック３４の一連の前進動作により、細棒４６を所定量繰り出すことができる。これにより、細棒４６に取り付けられたアイライナー芯４８が一体的に前進して、前部外筒１１から前進突出し、使用に供される。また、前進ノックした状態で、アイライナー芯４８を前部外筒１１内に押し込むと、チャック３４から細棒４６が解放されているので、細棒４６と共にアイライナー芯４８が後退し案内筒５０内に収納される。
【００２０】
以上のアイライナー芯４８の前進及び後退において、アイライナー芯４８と細棒４６は一体的に移動しなければならない。即ち、細棒４６が繰り出されたときに、アイライナー芯４８の外周面には、案内筒部５０の内周面からの摩擦力等が作用して、これらが、アイライナー芯４８の前進に対する抵抗力となり、細棒４６だけが前進してしまうおそれがある。しかしながら、細棒４６の先端が拡径部４６ａとなっているので、細棒４６からの前進繰り出し力が、その拡径部４６ａを介してアイライナー芯４８に分散されて伝達される。こうして、細棒４６からの力が局所的にアイライナー芯４８に作用して、その部分を破断することが防止され、細棒４６とアイライナー芯４８とは一体的に移動する。
【００２２】
図３のように単一の凸部を形成するとよい。
【００２４】
細棒４６は、プラスチック製とすることにより、径方向に突出した凸面を容易に形成することが可能である。
【００２５】
【発明の効果】
以上説明したように、本発明によれば、棒状物に埋め込まれた細棒が棒状物内を単独で移動することはなく、確実に細棒と棒状物とを一体的に移動させることができる。
【図面の簡単な説明】
【図１】本発明の棒状物繰り出し装置を使用した複合筆記具を示す縦断面図である。
【図２】本発明に係る棒状物繰り出し装置を示す要部断面図であり、図１から一方の保持軸が前進し、且つ図１の縦断面図を９０度回転させた図である。
【図３】  実施形態における細棒と棒状物を表す部分断面図である。
【符号の説明】
３０  棒状物繰り出し装置
３４  チャック
４４  細棒送出機構
４６  細棒
４８  アイライナ芯（棒状物）
【図１】
0004037214.tif 000002
【図２】
0004037214.tif 000003
【図３】
0004037214.tif 000004